(57)【要約】【課題】パソコンを通さずに、撮影した画像に編集処理を施して印刷することができる印刷装置を提供することにある。【解決手段】インクジェット式プリンタ１０の正面１３に画像データが記憶された第１及び第２のメモリカードＭＣ１，ＭＣ２をプリンタ本体１１に接続するための第１及び第２のスロット１４，１５を形成する。また、インクジェット式プリンタ１０の正面１３にテンプレートデータが記憶されたＣＤ−ＲＯＭ１７をプリンタ本体１１に接続するための第３のスロット１６を形成する。そして、前記画像データに基づいた画像及び前記テンプレートデータに基づいたテンプレートＴを組み合わせて１つの新たな画像データを作成するとともに、その作成された新たな画像データに基づいて印刷を実行するようにした。【選択図】      図１
2004262082.tif 000002
【特許請求の範囲】
【請求項１】
画像データに基づいた画像を表示する表示手段と、
前記画像データを記憶した複数の記憶媒体を接続する複数の記憶媒体接続手段と、
前記複数の記憶媒体接続手段に対応してそれぞれ設けられ、それぞれ対応した記憶媒体接続手段を介して前記画像データをそれぞれ読み込むための複数の画像データ読み込み手段と、
前記複数の記憶媒体のうちの１つの記憶媒体に記憶された画像データと他の記憶媒体に記憶された記憶媒体に記憶された画像データとを組み合わせて１つの新たな画像データを作成する画像作成手段と、
前記画像作成手段によって作成された新たな画像データを記憶するデータ記憶手段と、
前記新たな画像データを印刷データに変換する印刷データ作成手段と、
前記印刷データに基づいて印刷を実行する印刷処理手段と
を備えたことを特徴とする印刷装置。
【請求項２】
請求項１に記載の印刷装置において、
前記表示手段に、前記新たな画像データに基づいた画像を表される表示制御手段を備えたことを特徴する印刷装置。
【請求項３】
請求項１または２に記載の印刷装置において、
前記表示手段は、液晶ディスプレイで構成されていることを特徴とする印刷装置。
【請求項４】
請求項１乃至３のいずれか１つに記載の印刷装置において、
前記表示手段は、押圧位置を検出可能な入力部が形成されたタッチパネルであることを特徴とする印刷装置。
【請求項５】
請求項１乃至４のいずれか１つに記載の印刷装置において、
前記印刷処理手段は、記録ヘッドを設けたキャリッジと、
前記印刷データに基づいた画像が印刷される記憶媒体とその記憶媒体に吐出されるインクとが一体に備えられたカートリッジとを備えたことを特徴とする印刷装置。
【発明の詳細な説明】
【０００１】
【発明の属する技術分野】
本発明は、印刷装置に関するものである。
【０００２】
【従来の技術】
従来、印刷装置としてのプリンタには、画像データが記憶された記憶媒体を取り付けて、パソコンを通さずに印刷処理が実行できる機種（例えば、スタンドアロン型という）が広く普及している。この種のプリンタは、一般にデジタルカメラで撮影した画像を印刷する場合に用いられることが多く、その場合、デジタルカメラの撮影画像の画像データが記憶された記憶媒体であるメモリカードをプリンタのスロットに差し込み、操作パネル上で印刷される画像の印刷条件を指定して印刷処理が実行される（例えば、特許文献１）。
【０００３】
【特許文献１】
特開２００１−２３２８１７号公報
【０００４】
【発明が解決しようとする課題】
ところが、前記プリンタは、メモリカードに記憶された画像データに基づいてその撮影画像をそのまま印刷するものであって、前記撮影画像に所望の他の画像や文字を組み合わせて１つの画像を作成する編集処理を施すことはできない。従って、例えば、デジタルカメラ等で撮影した画像と、他の所定の画像とを組み合わせて編集したものをはがきに印刷したいときは、パソコンを通して前記画像に編集処理を施す必要があった。
【０００５】
本発明は上記問題点を解消するためになされたものであって、その目的は、パソコンを通さずに、撮影した画像に編集処理を施して印刷することができる印刷装置を提供することにある。
【０００６】
【課題を解決するための手段】
本発明の印刷装置は、画像データに基づいた画像を表示する表示手段と、前記画像データを記憶した複数の記憶媒体を接続する複数の記憶媒体接続手段と、前記複数の記憶媒体接続手段に対応してそれぞれ設けられ、それぞれ対応した記憶媒体接続手段を介して前記画像データをそれぞれ読み込むための複数の画像データ読み込み手段と、前記複数の記憶媒体のうちの１つの記憶媒体に記憶された画像データと他の記憶媒体に記憶された記憶媒体に記憶された画像データとを組み合わせて１つの新たな画像データを作成する画像作成手段と、前記画像作成手段によって作成された新たな画像データを記憶するデータ記憶手段と、前記新たな画像データを印刷データに変換する印刷データ作成手段と、前記印刷データに基づいて印刷を実行する印刷処理手段とを備えた。
【０００７】
これによれば、パソコンを通さずに、撮影した画像に編集処理を施して印刷することができる印刷装置を提供することができる。また、複数の記憶媒体接続手段を備えているので、複数の規格の記憶媒体を直接印刷装置本体に接続して、同記憶媒体に記憶された画像データに対して編集処理を施して印刷することができる。
【０００８】
この印刷装置において、前記表示手段に、前記新たな画像データに基づいた画像を表される表示制御手段を備えてもよい。
これによれば、印刷実行する前に印刷される画像が所望のものかどうかを視認することができるので、所望の画像を確実に印刷させることができる。
【０００９】
この印刷装置において、前記表示手段は、液晶ディスプレイで構成されていてもよい。
これによれば、表示手段を小型化及び軽量化することができるので、印刷装置全体を小型化及び軽量化させることができる。
【００１０】
この印刷装置において、前記表示手段は、押圧位置を検出可能な入力部が形成されたタッチパネルであってもよい。
これによれば、印刷装置全体をさらに小型化及び軽量化させることができる。
【００１１】
この印刷装置において、前記印刷処理手段は、記録ヘッドを設けたキャリッジと、前記印刷データに基づいた画像が印刷される記憶媒体とその記憶媒体に吐出されるインクとが一体に備えられたカートリッジとを備えてもよい。
【００１２】
これによれば、記録ヘッドを設けたキャリッジを備えた印刷処理手段と、印刷媒体及びインクが一体に備えられたカートリッジとから構成される印刷装置に対して、パソコンを通さずに、撮影した画像に編集処理を施して印刷させることができる。
【００１３】
【発明の実施の形態】
以下、本発明を具体化した実施形態を図１〜図４に従って説明する。図１は、印刷装置としてのインクジェット式プリンタをその右前方からみたときの斜視図である。図２は、インクジェット式プリンタをその右後方からみたときの斜視図である。
【００１４】
図１に示すように、インクジェット式プリンタ（以下、プリンタという）１０は、プリンタ本体１１とカートリッジとしてのカートリッジ部１２とから構成されている。
【００１５】
プリンタ本体１１は、図１に示すように、略直方体の形状を成している。プリンタ本体１１は、その正面１３に第１のスロット１４及び第２のスロット１５を備えている。第１のスロット１４及び第２のスロット１５は、それぞれ、画像データＤ（図３参照）が記憶された記憶媒体としての第１及び第２のメモリカードＭＣ１，ＭＣ２をプリンタ本体１１に接続するためのスロットである。前記画像データＤは、例えばデジタルカメラで撮影された画像の画像データであって、一般にＧＩＦ、ＪＰＥＧまたはＢｉｔｍａｐといったデータ形式で記憶されている。尚、本実施形態においては、前記第１のメモリカードＭＣ１と第２のメモリカードＭＣ２とは互いに規格の異なったメモリカードである。そして、前記第１のスロット１４及び第２のスロット１５はそれぞれ第１のメモリカードＭＣ１及び第２のメモリカードＭＣ２の規格に対応した形状を成している。従って、異なった２種類の規格のメモリカードをプリンタ本体１１に直接接続することができる。
【００１６】
また、プリンタ本体１１の正面１３には、第３のスロット１６が形成されている。第３のスロット１６は、後記するテンプレートＴ（図４参照）のテンプレートデータＴＰが記憶されたＣＤ−ＲＯＭ１７をプリンタ本体１１に接続するためのスロットである。尚、前記第１、第２及び第３のスロット１４，１５，１６は、特許請求の範囲に記載された複数の記憶媒体接続手段に対応している。
【００１７】
また、プリンタ本体１１は、図２に示すように、その内部の前記第１及び第２のスロット１４，１５のそれぞれに対応した位置に第１及び第２のドライブＤ１，Ｄ２が取り付けられている。第１及び第２のドライブＤ１，Ｄ２は、それぞれ、前記第１及び第２のメモリカードＭＣ１，ＭＣ２に記憶された画像データＤをそれぞれ読み込むためのドライブである。同様に、プリンタ本体１１内の前記第３のスロット１６に対応した位置には第３のドライブＤ３が取り付けられている。第３のドライブＤ３は、前記ＣＤ−ＲＯＭ１７に記憶されたテンプレートデータＴＰを読み込むためのドライブである。尚、前記第１、第２及び第３のドライブＤ１，Ｄ２，Ｄ３は、それぞれ特許請求の範囲に記載された画像データ読み込み手段に対応している。
【００１８】
さらに、プリンタ本体１１は、図１に示すように、その正面１３にカートリッジ部１２をプリンタ本体１１に差し込んで接続するための差込口１８が形成されている。前記差込口１８に対応するプリンタ本体１１内部は、同カートリッジ部１２がプリンタ本体１１内に収納されるように中空構造を成している。
【００１９】
カートリッジ部１２は、図１に示すように、そのケースＫの上部に記録媒体としての紙Ｐが載置されて収容されるようになっている。また、ケースＫ内であって、紙Ｐが収容された前記上部の下方には、ブラック（ＢＫ）、マゼンダ（Ｍ）、イエロー（Ｙ）及びブルー（Ｂ）の各色のインクがそれぞれ充填されたインクタンクＱが複数個取り付けられている。ケースＫの前面３０には、前記各インクタンクＱに充填されたブラック（ＢＫ）、マゼンダ（Ｍ）、イエロー（Ｙ）及びブルー（Ｂ）のそれぞれのインクの残量を視認するための表示窓Ｗが形成されている。
【００２０】
また、プリンタ本体１１は、その上面１９に前記画像データＤに対応した画像及び前記テンプレートデータＴＰに対応したテンプレートＴをそれぞれ表示するための表示手段としての表示パネル２０を備えている。本実施形態における表示パネル２０は、液晶で構成された表示パネルである。従って、表示パネル２０をＣＲＴで構成した場合と比べて薄く且つ軽量化できるので、プリンタ本体１１を小型化及び軽量化することができる。
【００２１】
また、表示パネル２０は、押圧位置を検出可能な入力部が形成されたタッチパネル方式の表示パネルであって、同表示パネル２０上に形成される後記する各表示部５１〜５４（図４参照）を押圧操作して印刷条件を設定するとともに、その設定された印刷条件に従って印刷を実行させることができる。前記表示パネル２０をタッチパネル方式の表示パネルにすることによって、プリンタ本体１１に各表示部５１〜５４に対応した操作手段を形成する領域を設ける必要がないので、その分だけプリンタ本体１１をさらに小型化及び軽量化することができる。
【００２２】
また、プリンタ本体１１は、図１に示すように、その内部に印刷処理を実行する印刷処理手段としての印刷処理部２１（図３参照）を構成するキャリッジＣが図示しない案内部材によって主査方向に往復運動される。キャリッジＣには、記録ヘッドＨが設けられるとともに、該記録ヘッドＨにインクを補給するための補給チューブ２２が備え付けられている。補給チューブ２２は、カートリッジ部１２に取り付けられたインクの色の種類に応じた数だけ備え付けられている。そして、その各補給チューブ２２は、カートリッジ部１２内に設けられた各色毎のインクタンクＱに接続されるようになっている。
【００２３】
そして、キャリッジＣは、後記するキャリッジモータＭ（図３参照）の駆動に従って前記差込口１８に収納されているカートリッジ部１２に載置されている紙Ｐ上において幅方向（主査方向）に移動しながら前記インクタンクＱに充填されたインクを前記記録ヘッドＨから同紙Ｐの所定の位置に吐出する。
【００２４】
さらに、プリンタ本体１１は、図２に示すように、その裏面２５の略中央部には排紙口２６が形成され、この排紙口２６から印刷処理が済んだ紙Ｐが排出されるようになっている。
【００２５】
そして、このように構成されたカートリッジ部１２をプリンタ本体１１の前記差込口１８に差し込むと、同カートリッジ部１２がプリンタ本体１１に接続される。すると、前記各インクタンクＱと、その各インクタンクＱに対応した前記補給チューブ２２とが接続される。その結果、各インクタンクＱに収納されている各インクが対応する補給チューブ２２を介して記録ヘッドＨに補給される。この状態で、キャリッジＣが後記する印刷条件に応じて駆動制御されながら、その記録ヘッドＨに補給チューブ２２を介して前記インクタンクＱから補給されたインクを吐出することで印刷が実行される。
【００２６】
次に、前記のように構成されたプリンタ１０の電気的構成について図３に従って説明する。図３は、プリンタ１０の電気的構成を説明するためのブロック図である。
【００２７】
プリンタ本体１１は装置全体を制御する制御装置４０を内蔵している。制御装置４０は前記各第１〜第３のドライブＤ１，Ｄ２，Ｄ３、ＣＰＵ４１、ＲＯＭ４２、ＲＡＭ４３及びインターフェース４４を備えている。これら部材Ｄ１〜４４はバス４５を通じて相互に接続されている。ＣＰＵ４１はＲＯＭ４２に記憶されたプログラムに基づき、ＲＡＭ４３を作業領域としてプリンタ本体１１を駆動制御する。詳しくは、ＣＰＵ４１は、前記プログラムに基づいて前記第１及び第２のドライブＤ１，Ｄ２を介して前記第１または第２のメモリカードＭＣ１，ＭＣ２から読み込んだ各画像データＤをＲＡＭ４３に一時記憶させる。さらに、ＣＰＵ４１は、前記プログラムに基づいて、前記第３のドライブＤ３を介してＣＤ−ＲＯＭ１７から読み込んだテンプレートデータＴＰをＲＡＭ４３に一時記憶させる。また、ＣＰＵ４１は、前記プログラムに基づいて、ＲＡＭ４３に一時記憶された前記画像データＤを編集し、その編集された画像データＤをＲＡＭ４３に記憶させるとともに、編集された画像データＤに基づいて画像Ｇを表示パネル２０上の後記する画像表示領域ＺＤ（図４参照）に表示させる。同様に、ＣＰＵ４１は、前記プログラムに基づいて、ＲＡＭ４３に一時記憶された前記テンプレートデータＴＰを編集し、その編集されたテンプレートデータＴＰをＲＡＭ４３に記憶させるとともに、編集されたテンプレートデータＴＰに基づいてテンプレートＴを表示パネル２０上の後記するテンプレート表示領域ＺＴ（図４参照）に表示させる。
【００２８】
さらに、ＣＰＵ４１は、前記プログラムに基づいて、前記ＲＡＭ４３に記憶された画像データＤのうちの１つを前記表示パネル２０上の後記するプレビュー画面表示領域ＺＰ（図４参照）に表示させる。また、ＣＰＵ４１は、前記プログラムに基づいて、前記ＲＡＭ４３に記憶されたテンプレートデータＴＰのうちの１つを前記表示パネル２０上の後記するプレビュー画面表示領域ＺＰに表示させる。また、ＣＰＵ４１は、前記プログラムに基づいて、前記プレビュー画面表示領域ＺＰに表示された画像Ｇの画像データＤとテンプレートＴのテンプレートデータＴＰとを使って１つの新たな画像データを作成し、その作成された新たな画像データを前記ＲＡＭ４３に記憶させる。また、ＣＰＵ４１は、前記プログラムに基づいて、その作成された新たな画像データに基づく画像ＰＧを前記表示パネル２０上の後記するプレビュー画面表示領域ＺＰ（図４参照）に表示させる。このように、作成された新たな画像データに基づく画像ＰＧをプレビュー画面表示領域ＺＰに表示することによって、印刷実行する前に印刷される画像ＰＧが所望のものかどうかを視認することができるので、所望の画像を確実に印刷させることができる。
【００２９】
さらに、ＣＰＵ４１は、前記プログラムに基づいて、前記ＲＡＭ４３に記憶された前記新たな画像データに基づいて印刷データＳＫを作成する。そして、ＣＰＵ４１は、その作成された印刷データＳＫをＲＡＭ４３に一時記憶するとともに、前記ＲＡＭ４３に一時記憶された印刷データＳＫを前記バス４５を介してインターフェース４４に出力する。尚、このＣＰＵ４１が特許請求の範囲に記載された画像作成手段、印刷データ作成手段または表示制御手段に対応している。また、前記ＲＡＭ４３が特許請求の範囲に記載されたデータ記憶手段に対応している。
【００３０】
インターフェース４４は、前記ＲＡＭ４３からの印刷データＳＫを印刷処理部２１に出力する。
また、プリンタ本体１１は、印刷処理を行う印刷処理手段としての印刷処理部２１を備えている。印刷処理部２１は、キャリッジＣ、記録ヘッドＨ、キャリッジモータＭ、紙送りローラＲ、プラテンＬ等のメカ機構により構成される。
【００３１】
印刷処理部２１は、前記インターフェース４４から出力される前記印刷データＳＫに従って紙送りローラＲを駆動制御することで前記カートリッジ部１２に載置されている紙Ｐを記録ヘッドＨに搬送するとともに、プリンタ本体１１の裏面２５に形成された排紙口２６に向かって同紙Ｐを搬出させる。また、印刷処理部２１は、前記インターフェース４４から出力される印刷データＳＫに従って、キャリッジモータＭ及び紙送りローラＲを駆動制御しながら、前記補給チューブ２２から所定のインク量を補給する。そして、印刷処理部２１は、前記記録ヘッドＨから所定のタイミングで前記インクを前記紙Ｐに吐出することで印刷を実行することができる。
【００３２】
次に、このように構成されたプリンタ１０の操作方法を図４に従って説明する。図４は、前記表示パネル２０上に表示された表示画面の図である。表示パネル２０には、その表示画面の右側に画像表示領域ＺＤが形成されている。また、表示パネル２０の表示画面の左側には、テンプレート表示領域ＺＴが形成されている。そして、前記テンプレート表示領域ＺＴと前記画像表示領域ＺＤとの間には、印刷される画像のプレビューが表示されるプレビュー画面表示領域ＺＰが形成されている。
【００３３】
また、前記表示画面に表示された前記各表示領域ＺＤ，ＺＴ，ＺＰの下方には、コメント表示欄５０、決定表示部５１、選択表示部５２，５３及び印刷実行表示部５４が表示される。
【００３４】
そして、前記プリンタ本体１１の第１または第２のスロット１４，１５に前記第１または第２のメモリカードＭＣ１，ＭＣ２を挿入する。すると、前記したように、前記ＣＰＵ４１がＲＯＭ４２に記憶されたプログラムに基づいて第１または第２のメモリカードＭＣ１，ＭＣ２に記憶された画像データＤを編集し、その編集された画像データＤに基づいた複数の画像Ｇ（本実施形態においては４個の画像Ｇ）が前記画像表示領域ＺＤに表示される。また、前記プリンタ本体１１の第３のスロット１６に前記ＣＤ−ＲＯＭ１７を挿入する。すると、前記したように、前記ＣＰＵ４１がＲＯＭ４２に記憶されたプログラムに基づいて前記ＣＤ−ＲＯＭ１７に記憶されたテンプレートデータＴＰを編集し、その編集されたテンプレートデータＴＰに基づいた複数のテンプレートＴ（本実施形態においては４個のテンプレートＴ）が前記テンプレート表示領域ＺＴに表示される。
【００３５】
また、前記画像表示領域ＺＤまたはテンプレート表示領域ＺＴには、それぞれの複数の画像Ｇのうちの所望の画像Ｇを、または、複数のテンプレートＴのうちの所望のテンプレートＴを選択表示するためのカーソル５５が表示される。
【００３６】
コメント表示欄５０には、ユーザが設定すべき旨のコメントが表示されるようになっている。例えば、前記カーソル５５が画像表示領域ＺＤにある場合は、図４に示すように、前記コメント表示欄５０に「写真を選んで下さい」という旨のコメントが表示されるようになっている。また、前記カーソル５５がテンプレート表示領域ＺＴにある場合は、前記コメント表示欄５０に「テンプレートを選んで下さい」という旨のコメントが表示されるようになっている。また、前記カーソル５５がプレビュー画面表示領域ＺＰにある場合は、前記コメント表示欄５０に「プリントを押してください」という旨のコメントが表示されるようになっている。
【００３７】
決定表示部５１は、前記コメント表示欄５０に表示されたコメントに対してプリンタ１０の印刷条件を設定するためのものである。例えば、前記画像表示領域ＺＤに表示された所望の画像Ｇ及びテンプレート表示領域ＺＴに表示された所望のテンプレートＴをそれぞれ選択した後、決定表示部５１を押圧すると、前記したように、前記ＣＰＵ４１がＲＯＭ４２に記憶されたプログラムに基づいてその選択された画像ＧまたはテンプレートＴがプレビュー画面表示領域ＺＰに表示される。そして、その選択された画像Ｇに対応した画像データＤまたはテンプレートＴに対応したテンプレートデータＴＰをＲＡＭ４３に記憶させる。
【００３８】
選択表示部５２，５３は、その各選択表示部５２，５３を押圧操作することで、前記画像表示領域ＺＤまたはテンプレート表示領域ＺＴに表示されるカーソル５５を所望のテンプレートＴまたは画像Ｇが表示されている位置に移動させることができる。
【００３９】
印刷実行表示部５４は、プレビュー画面表示領域ＺＰに表示された画像Ｇを紙Ｐ上に印刷実行させるためのものである。つまり、印刷実行表示部５４を押圧すると、前記したように、前記ＲＡＭ４３に記憶された印刷データＳＫに従って印刷処理部２１が駆動制御される。
【００４０】
そして、まず、前記プリンタ本体１１の第１または第２のスロット１４，１５に前記第１または第２のメモリカードＭＣ１，ＭＣ２を挿入する。すると、前記したように、画像Ｇ（本実施形態においては４個の画像）が前記画像表示領域ＺＤに表示される。また、前記プリンタ本体１１の第３のスロット１６に前記ＣＤ−ＲＯＭ１７を挿入する。すると、前記したように、テンプレートＴ（本実施形態においては４個のテンプレートＴ）が前記テンプレート表示領域ＺＴに表示される。続いて、前記各選択表示部５２，５３を押圧操作することでカーソル５５を移動させ、所望のテンプレートＴ（本実施形態では、テンプレート表示領域ＺＴに表示されたテンプレートＴのうち左上に表示されたテンプレートＴ）を選択する。その後、決定表示部５１を押圧する。すると、前記プレビュー画面表示領域ＺＰに選択されたテンプレートＴが表示される。
【００４１】
続いて、選択表示部５３を押圧操作することでカーソル５５を移動させ、所望の画像Ｇ（本実施形態では、画像表示領域ＺＤに表示された画像のうち左上に表示された画像Ｇ）を選択する。その後、決定表示部５１を押圧する。すると、前記プレビュー画面表示領域ＺＰに先に選択されたテンプレートＴに選択された画像が組み合わされた画像ＰＧが表示される。つまり、第１または第２のメモリカードＭＣ１，ＭＣ２に記憶された画像データＤにテンプレートＴを組み合わせて編集処理を施すことができる。
【００４２】
その後、前記コメント表示欄５０に「プリントを押してください」という旨のコメントが表示され、前記印刷実行表示部５４を押圧する。すると、前記プレビュー画面表示領域ＺＰに表示された画像ＰＧが前記紙Ｐ上に印刷され、その印刷された紙Ｐが前記排紙口２６から排出される。
【００４３】
従って、前記のようにプリンタ１０を構成することで、パソコンを通さずに、撮影した画像に編集処理を施して印刷実行することができるインクジェット式プリンタを提供することができる。
【００４４】
前記実施形態のインクジェット式プリンタによれば、以下のような特徴を得ることができる。
（１）前記実施形態では、インクジェット式プリンタ１０の正面１３に画像データＤが記憶された第１及び第２のメモリカードＭＣ１，ＭＣ２をプリンタ本体１１に接続するための第１及び第２のスロット１４，１５を形成した。また、インクジェット式プリンタ１０の正面１３にテンプレートデータＴＰが記憶されたＣＤ−ＲＯＭ１７をプリンタ本体１１に接続するための第３のスロット１６を形成した。そして、前記画像データＤに基づいた画像Ｇ及び前記テンプレートデータＴＰに基づいたテンプレートＴを組み合わせて１つの画像データを作成するようにした。そして、その作成された画像データに基づいて印刷を実行するようにした。従って、パソコンを通さずに、撮影した画像Ｇに所望のテンプレートＴを組み合わせて印刷実行することができるインクジェット式プリンタ１０を提供することができる。
【００４５】
（２）前記実施形態では、画像データＤに基づいた画像Ｇ及びテンプレートデータＴＰに基づいたテンプレートＴをプリンタ本体１１の上面に設けられた表示パネル２０に表示するようにした。そして、プリンタ本体１１に設けられた表示部５１〜５４を操作することで前記画像ＧとテンプレートＴとを組み合わせて１つの画像データを作成するようにした。また、その作成された画像データをプレビュー画面表示領域ＺＰに表示されるようにした。従って、印刷実行する以前に印刷される画像が所望のものかどうかを視認することができるので、所望の画像を確実に印刷させることができる。
【００４６】
尚、発明の実施形態は、上記実施形態に限定されるものではなく、以下のように実施してもよい。
○上記実施形態では、印刷装置としてインクジェット式プリンタを用いたが、これに限定されるものではなく、要は画像データを印刷する印刷装置であればよい。
【００４７】
○上記実施形態では、インクジェット式プリンタは、プリンタ本体と、紙及びインクを充填したインクタンクＱを備えたカートリッジ部とから構成されたプリンタであったが、これに限定されるものではなく、例えば、プリンタ本体１１にインクを充填するオンキャリッジタイプの印刷装置に適用してもよい。
【００４８】
○上記実施形態では、表示パネル２０がタッチパネル方式であったが、これに限定されるものではなく、要は表示パネルを備えた印刷装置であればよい。
○上記実施形態のインクジェット式プリンタ１０では、第１または第２のメモリカードＭＣ１，ＭＣ２に記憶された画像ＧとＣＤ−ＲＯＭ１７に記憶されたテンプレートＴを組み合わせて１つの画像Ｇを作成し、その作成した画像Ｇを紙Ｐに印刷するようにした。このインクジェット式プリンタ１０に文字入力手段を備え、前記画像Ｇに加えてその文字入力手段によって入力された文字を印刷できるようにしてもよい。
【図面の簡単な説明】
【図１】本実施形態におけるインクジェット式プリンタを右前方からみた斜視図である。
【図２】本実施形態におけるインクジェット式プリンタを右後方からみた斜視図である。
【図３】本実施形態におけるインクジェット式プリンタの電気的構成図である。
【図４】本実施形態におけるインクジェット式プリンタの操作方法を説明するための図である。
【符号の説明】
Ｄ…画像データ、Ｄ１，Ｄ２，Ｄ３…画像データ読み込み手段としての第１、第２及び第３のドライブ、ＭＣ１，ＭＣ２…記憶媒体としてのメモリカード、１０…印刷装置としてのインクジェット式プリンタ、Ｐ…記憶媒体としての紙、１４，１５，１６…記憶媒体接続手段としての第１、第２及び第３のスロット、１７…記憶媒体としてのＣＤ−ＲＯＭ、２１…印刷処理手段としての印刷処理部、２０…表示手段としての表示パネル、４１…画像作成手段としてのＣＰＵ、ＳＫ…印刷データ、４３…画像データ記憶手段としてのＲＡＭ。
【図１】
2004262082.tif 000003
【図２】
2004262082.tif 000004
【図３】
2004262082.tif 000005
【図４】
2004262082.tif 000006